【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
着色剤、印刷後硬化剤および第１の架橋ポリウレタン分散質を有する水性ビヒクルを含むインクジェットインク組成物であって、インクは、架橋ポリウレタン分散質を、インクの総重量を基準にして約０．５重量％超から約３０重量％の量で含み、ならびに、架橋ポリウレタン中の架橋の量はＴＨＦ不溶分テストによる計測で約１％重量超、かつ、約５０重量％未満であり、ここで、架橋ポリウレタンは、少なくとも第１のジオールＺ１、第２のジオールＺ２、および、第３のジオールＺ３から形成され、ここで、
【化１】
2011523428.tif 000001
（式中、ｐは２以上であり、
ｍは３以上〜約３６であり；
Ｒ５、Ｒ６＝水素、アルキル、置換アルキル、アリールであり；ここで、Ｒ５またはＲ６は各置換メチレン基について同一であるか異なっており、Ｒ５と、Ｒ５またはＲ６とは結合して環構造を形成することが可能である）；
Ｚ２はイオン基で置換されたジオールであり；
Ｚ３は、ポリカーボネートジオール、ポリアミドジオールおよびポリ（メタ）アクリレートジオールからなる群から選択され；
着色剤は、顔料および染料、または、顔料と染料との組み合わせから選択され、ならびに、
印刷後硬化剤は、アミドおよびアミンホルムアルデヒド樹脂、フェノール樹脂、尿素樹脂およびブロック化イソシアネートから選択される、インクジェットインク組成物。
【請求項２】
着色剤、印刷後硬化剤、ならびに、第２の架橋ポリウレタン分散質および第３の架橋ポリウレタン分散質を有する水性ビヒクルを含むインクジェットインク組成物であって、インクは、第２の架橋ポリウレタン分散質を、インクの総重量を基準にして約０．２５重量％超から約３０重量％の量で含み、第３の架橋ポリウレタン分散質を、インクの総重量を基準にして約０．５重量％超から約３０重量％の量で含み、ここで、第２の架橋ポリウレタン中の架橋の量はＴＨＦ不溶分テストによる計測で約１重量％超、かつ、約５０重量％未満であり、第３の架橋ポリウレタン中の架橋の量はＴＨＦ不溶分テストによる計測で約１重量％超、かつ、約５０重量％未満であり、第２の架橋ポリウレタンは少なくとも第１のジオールＺ１および第２のジオールＺ２から形成され、第３の架橋ポリウレタンは少なくとも第２のジオールＺ２および第３のジオールＺ３から形成され、ここで、
【化２】
2011523428.tif 000002
（式中、ｐは２以上であり、
ｍは３以上〜約３６であり；
Ｒ５、Ｒ６＝水素、アルキル、置換アルキル、アリールであり；ここで、Ｒ５またはＲ６は各置換メチレン基について同一であるか異なっており、Ｒ５と、Ｒ５またはＲ６とは結合して環構造を形成することが可能である）；
Ｚ２はイオン基で置換されたジオールであり；
Ｚ３は、ポリカーボネートジオール、ポリアミドジオールおよびポリ（メタ）アクリレートジオールからなる群から選択され；
着色剤は、顔料および染料、または、顔料と染料との組み合わせから選択され、ならびに、
印刷後硬化剤は、アミドおよびアミンホルムアルデヒド樹脂、フェノール樹脂、尿素樹脂およびブロック化イソシアネートから選択される、インクジェットインク組成物。
【請求項３】
約２０ｄｙｎｅ／ｃｍ〜約７０ｄｙｎｅ／ｃｍの範囲内の表面張力を有し、粘度が２５℃で約１ｃＰ〜約３０ｃＰの範囲内である、請求項１に記載のインクジェットインク組成物。
【請求項４】
着色剤が顔料を含む、請求項１に記載のインクジェットインク組成物。
【請求項５】
第１の架橋ポリウレタンがジオールＺ１、Ｚ２およびＺ３から形成され、Ｚ３がポリカーボネートジオールである、請求項１に記載のインクジェットインク組成物。
【請求項６】
第１の架橋ポリウレタンがジオールＺ１、Ｚ２およびＺ３から形成され、ジオールＺ１とＺ３とのモル比が約１：１〜約１：１０である、請求項１に記載のインクジェット組成物。
【請求項７】
印刷後硬化剤がメラミン−ホルムアルデヒド樹脂である、請求項１に記載のインクジェット組成物。
【請求項８】
約２０ｄｙｎｅ／ｃｍ〜約７０ｄｙｎｅ／ｃｍの範囲内の表面張力を有し、粘度が２５℃で約１ｃＰ〜約３０ｃＰの範囲内である、請求項２に記載のインクジェットインク組成物。
【請求項９】
着色剤が顔料を含む、請求項２に記載のインクジェットインク組成物。
【請求項１０】
第１の架橋ポリウレタンがジオールＺ１、Ｚ２およびＺ３から形成され、ジオールＺ１とＺ３とのモル比が約１：１〜約１：１０である、請求項２に記載のインクジェット組成物。
【手続補正２】
【補正対象書類名】明細書
【補正対象項目名】０２５０
【補正方法】変更
【補正の内容】
【０２５０】
【表１】
2011523428.tif 000003
本発明は以下の実施の態様を含むものである。
１．着色剤、印刷後硬化剤および第１の架橋ポリウレタン分散質を有する水性ビヒクルを含むインクジェットインク組成物であって、インクは、架橋ポリウレタン分散質を、インクの総重量を基準にして約０．５重量％超から約３０重量％の量で含み、ならびに、架橋ポリウレタン中の架橋の量はＴＨＦ不溶分テストによる計測で約１％重量超、かつ、約５０重量％未満であり、ここで、架橋ポリウレタンは、少なくとも第１のジオールＺ１、第２のジオールＺ２、および、第３のジオールＺ３から形成され、ここで、
【化３】
2011523428.tif 000004
（式中、ｐは２以上であり、
ｍは３以上〜約３６であり；
Ｒ５、Ｒ６＝水素、アルキル、置換アルキル、アリールであり；ここで、Ｒ５またはＲ６は各置換メチレン基について同一であるか異なっており、Ｒ５と、Ｒ５またはＲ６とは結合して環構造を形成することが可能である）；
Ｚ２はイオン基で置換されたジオールであり；
Ｚ３は、ポリカーボネートジオール、ポリアミドジオールおよびポリ（メタ）アクリレートジオールからなる群から選択され；
着色剤は、顔料および染料、または、顔料と染料との組み合わせから選択され、ならびに、
印刷後硬化剤は、アミドおよびアミンホルムアルデヒド樹脂、フェノール樹脂、尿素樹脂およびブロック化イソシアネートから選択される、インクジェットインク組成物。
２．着色剤、印刷後硬化剤、ならびに、第２の架橋ポリウレタン分散質および第３の架橋ポリウレタン分散質を有する水性ビヒクルを含むインクジェットインク組成物であって、インクは、第２の架橋ポリウレタン分散質を、インクの総重量を基準にして約０．２５重量％超から約３０重量％の量で含み、第３の架橋ポリウレタン分散質を、インクの総重量を基準にして約０．５重量％超から約３０重量％の量で含み、ここで、第２の架橋ポリウレタン中の架橋の量はＴＨＦ不溶分テストによる計測で約１重量％超、かつ、約５０重量％未満であり、第３の架橋ポリウレタン中の架橋の量はＴＨＦ不溶分テストによる計測で約１重量％超、かつ、約５０重量％未満であり、第２の架橋ポリウレタンは少なくとも第１のジオールＺ１および第２のジオールＺ２から形成され、第３の架橋ポリウレタンは少なくとも第２のジオールＺ２および第３のジオールＺ３から形成され、ここで、
【化４】
2011523428.tif 000005
（式中、ｐは２以上であり、
ｍは３以上〜約３６であり；
Ｒ５、Ｒ６＝水素、アルキル、置換アルキル、アリールであり；ここで、Ｒ５またはＲ６は各置換メチレン基について同一であるか異なっており、Ｒ５と、Ｒ５またはＲ６とは結合して環構造を形成することが可能である）；
Ｚ２はイオン基で置換されたジオールであり；
Ｚ３は、ポリカーボネートジオール、ポリアミドジオールおよびポリ（メタ）アクリレートジオールからなる群から選択され；
着色剤は、顔料および染料、または、顔料と染料との組み合わせから選択され、ならびに、
印刷後硬化剤は、アミドおよびアミンホルムアルデヒド樹脂、フェノール樹脂、尿素樹脂およびブロック化イソシアネートから選択される、インクジェットインク組成物。
３．約２０ｄｙｎｅ／ｃｍ〜約７０ｄｙｎｅ／ｃｍの範囲内の表面張力を有し、粘度が２５℃で約１ｃＰ〜約３０ｃＰの範囲内である、前記１に記載のインクジェットインク組成物。
４．着色剤が顔料を含む、前記１に記載のインクジェットインク組成物。
５．第１の架橋ポリウレタンがジオールＺ１、Ｚ２およびＺ３から形成され、Ｚ３がポリカーボネートジオールである、前記１に記載のインクジェットインク組成物。
６．第１の架橋ポリウレタンがジオールＺ１、Ｚ２およびＺ３から形成され、ジオールＺ１とＺ３とのモル比が約１：１〜約１：１０である、前記１に記載のインクジェット組成物。
７．第１の架橋ポリウレタンがジオールＺ１、Ｚ２およびＺ３から形成され、ジオールＺ１とＺ３とのモル比が約１：１．５〜約１：７である、前記１に記載のインクジェット組成物。
８．印刷後硬化剤がメラミン−ホルムアルデヒド樹脂である、前記１に記載のインクジェット組成物。
９．約２０ｄｙｎｅ／ｃｍ〜約７０ｄｙｎｅ／ｃｍの範囲内の表面張力を有し、粘度が２５℃で約１ｃＰ〜約３０ｃＰの範囲内である、前記２に記載のインクジェットインク組成物。
１０．着色剤が顔料を含む、前記２に記載のインクジェットインク組成物。
１１．第１の架橋ポリウレタンがジオールＺ１、Ｚ２およびＺ３から形成され、Ｚ３がポリカーボネートジオールである、前記２に記載のインクジェットインク組成物。
１２．第１の架橋ポリウレタンがジオールＺ１、Ｚ２およびＺ３から形成され、ジオールＺ１とＺ３とのモル比が約１：１〜約１：１０である、前記２に記載のインクジェット組成物。
１３．第１の架橋ポリウレタンがジオールＺ１、Ｚ２およびＺ３から形成され、ジオールＺ１とＺ３とのモル比が約１：１．５〜約１：７である、前記２に記載のインクジェット組成物。
１４．印刷後硬化剤がメラミン−ホルムアルデヒド樹脂である、前記１に記載のインクジェット組成物。